(57)【要約】【課題】バッテリーをカバーによって上側から覆わる状態で装備するものでありながら、バッテリーを手早く取出したり、手早く搭載したりできる歩行型作業機を提供する。【解決手段】カバー６の内部にバッテリー押圧部２０が形成されている。バッテリー押圧部２０は、カバー６が閉じ状態に切り換えられると、バッテリー５をバッテリー載置部１６に向けて押圧し、カバー６が開き状態に切り換えられると、バッテリー５の押圧を解除する。カバー６を閉じ状態に固定するロック機構２１に、カバー６に備えられたロック部２２と、走行機体１に備えられた固定部２３と、ロック部２２を固定部２３に締め付けて連結するロック状態とロック部２２の固定部２３への連結を解除するロック解除状態とに切換え可能なロック部材２４と、が備えられている。【選択図】図３
2019051802.tif 000002
【特許請求の範囲】
【請求項１】
走行機体に設けられたバッテリー載置部と、
前記走行機体に対して下降移動して閉じ状態になり、前記走行機体に対して上昇移動して開き状態になり、かつ、前記閉じ状態になると、前記バッテリー載置部に載置されたバッテリーを上側から覆い、前記開き状態になると、前記バッテリーを開放するカバーと、
前記カバーを前記閉じ状態に固定するロック状態と前記カバーの閉じ固定を解除するロック解除状態とに切換え可能なロック機構と、が備えられ、
前記カバーの内部に、前記カバーが前記閉じ状態に切り換えられると、前記バッテリーを前記バッテリー載置部に向けて押圧し、前記カバーが前記開き状態に切り換えられると、前記バッテリーの押圧を解除するバッテリー押圧部が形成され、
前記ロック機構に、前記カバーに備えられたロック部と、前記走行機体に備えられた固定部と、前記ロック部を前記固定部に締め付けて連結するロック状態と前記ロック部の前記固定部への連結を解除するロック解除状態とに切換え可能なロック部材と、が備えられている歩行型作業機。
【請求項２】
前記ロック部及び前記固定部のうちの一方に、前記ロック部材が挿通され、かつ、前記走行機体の上下方向に長い切欠き部が形成されている請求項１に記載の歩行型作業機。
【請求項３】
前記カバーは、樹脂製であり、前記バッテリー押圧部は、金属部材によって構成されている請求項１又は２に記載の歩行型作業機。
【請求項４】
前記カバーは、樹脂製であり、前記バッテリー押圧部及び前記ロック部は、同一の金属部材によって構成されている請求項１又は２に記載の歩行型作業機。
【請求項５】
前記カバーは、前記走行機体に上下揺動可能に支持され、
前記ロック機構は、前記カバーの遊端部に備えられている請求項１〜４のいずれか一項に記載の歩行型作業機。
【発明の詳細な説明】
【技術分野】
【０００１】
本発明は、歩行型作業機に関する。
【背景技術】
【０００２】
特許文献１に示される除雪機では、車体フレームにバッテリ収納ボックスを介してバッテリが取付けられ、バッテリを上側から覆うカバーが備えられている。また、バッテリ収納ボックスに収納したバッテリの上端に押え部材を載せ、押え部材の左右端に左右のロッドを貫通させ、左右のロッドの下端を収納ボックスに備えられた左右のブラケットに引っ掛け、押え部材から突出した左右のロッドに左右のナットを締め付けることで、収納ボックス内にバッテリを固定するように構成されている。
【先行技術文献】
【特許文献】
【０００３】
【特許文献１】特開２００２−３０６２９号公報
【発明の概要】
【発明が解決しようとする課題】
【０００４】
バッテリー、及び、バッテリーを上側から覆うカバーが備えられた歩行型作業機において、従来の技術を採用することによってバッテリーの固定を可能にした場合、バッテリーを取出すに当たり、カバーを開けた後、バッテリーを固定しているロック手段（例えば、押え部材やナット）をロック解除状態に切り換えてバッテーの固定を解除する必要がある。また、バッテーを搭載するに当たり、カバーを閉じる前に、ロック手段をロック状態に切り換えてバッテリーを固定する必要がある。すなわち、バッテリーを脱着するに当たり、カバーを開閉する操作の他に、バッテリーを固定する特別なロック操作やバッテリーの固定を解除する特別なロック解除操作が必要であり、手間が掛かる。
【０００５】
本発明は、バッテリーをカバーによって上側から覆われる状態で搭載するものでありながら、バッテリーを手早く脱着することができる歩行型作業機を提供する。
【課題を解決するための手段】
【０００６】
本発明による歩行型作業機は、
走行機体に設けられたバッテリー載置部と、
前記走行機体に対して下降移動して閉じ状態になり、前記走行機体に対して上昇移動して開き状態になり、かつ、前記閉じ状態になると、前記バッテリー載置部に載置されたバッテリーを上側から覆い、前記開き状態になると、前記バッテリーを開放するカバーと、
前記カバーを前記閉じ状態に固定するロック状態と前記カバーの閉じ固定を解除するロック解除状態とに切換え可能なロック機構と、が備えられ、
前記カバーの内部に、前記カバーが前記閉じ状態に切り換えられると、前記バッテリーを前記バッテリー載置部に向けて押圧し、前記カバーが前記開き状態に切り換えられると、前記バッテリーの押圧を解除するバッテリー押圧部が形成され、
前記ロック機構に、前記カバーに備えられたロック部と、前記走行機体に備えられた固定部と、前記ロック部を前記固定部に締め付けて連結するロック状態と前記ロック部の前記固定部への連結を解除するロック解除状態とに切換え可能なロック部材と、が備えられている。
【０００７】
本構成によると、カバーを閉じると、カバーの閉じ作動によってバッテリー押圧部がバッテリーに作用してバッテリーがバッテリー押圧部によってバッテリー載置部に向けて押圧される。ロック機構をロック状態に切り換えると、カバーがロック機構によって閉じ状態に固定され、バッテリー押圧部によるバッテリーのバッテリー載置部への押圧が維持される。ロック部と固定部とがロック部材によって締め付けられてカバーが閉じ状態に固定されるので、カバーを閉じ状態にしっかり固定でき、バッテリーがバッテリー載置部に押圧される状態をしっかり維持できる。すなわち、バッテリーをバッテリー載置部に固定でき、かつ、走行振動などによって弛みにくように固定できる。
【０００８】
ロック機構をロック解除状態に切り換えてカバーを開けると、カバーの開き作動によってバッテリー押圧部がバッテリーから離れてバッテリーのバッテリー載置部への押圧が解除され、バッテリーの取出しが可能になる。
【０００９】
従って、ロック機構の切換え、及び、カバーの開閉を行なえば、バッテリーのバッテリー載置部への固定を解除する特別なロック解除手間を掛けずに手早くバッテリーを取出すことができ、また、バッテリーをバッテリー載置部に固定する特別なロック手間を掛けずに手早くバッテリーをバッテリー載置部に弛み難い状態で固定することができる。
【００１０】
本発明においては、前記ロック部及び前記固定部のうちの一方に、前記ロック部材が挿通され、かつ、前記走行機体の上下方向に長い切欠き部が形成されていると好適である。
【００１１】
本構成によると、ロック部材が挿通する切欠き部は、閉じ状態に向けて下降するカバーと共に移動するロック部の移動方向に沿った方向（走行機体の上下方向）に長いので、カバーを開き状態から下降させていくに伴い、バッテリー押圧部がバッテリーに当接してカバーが閉じ状態になると共に下降限界になる。つまり、カバーを限界まで下降させてロック部材を締め付け操作することにより、バッテリー押圧部がバッテリーに適確に押圧作用する状態になると共にこの状態が維持される。
【００１２】
従って、カバーをバッテリー押さえに活用した簡素な構造によって、かつ、カバーを限界まで下降させてロック部材を締め付け操作するだけの簡単な操作によって、バッテリーをバッテリー載置部にしっかり固定できる。
【００１３】
本発明においては、前記カバーは、樹脂製であり、前記バッテリー押圧部は、金属部材によって構成されていると好適である。
【００１４】
本構成によると、カバーを樹脂によって容易に作製しつつ、バッテリー押圧部には、バッテリー押さえに対応する剛性を備えさせてバッテリー押さえをしっかり行わせることができる。
【００１５】
本発明においては、前記カバーは、樹脂製であり、前記バッテリー押圧部及び前記ロック部は、同一の金属部材によって構成されていると好適である。
【００１６】
本構成によると、カバーを樹脂によって容易に作製しつつ、バッテリー押圧部には、バッテリー押さえに対応する剛性を備えさせてバッテリー押さえをしっかり行わせることができ、ロック部には、ロック部材による締め付けに対応する剛性を備えさせてカバーを閉じ状態にしっかりロックさせることができる。バッテリー押圧部及びロック部を同一の金属部材によって安価に作製できる。
【００１７】
本発明においては、前記カバーは、前記走行機体に上下揺動可能に支持され、
前記ロック機構は、前記カバーの遊端部に備えられていると好適である。
【００１８】
本構成によると、カバーの遊端部に備えるだけの数少ないロック機構によってカバーを閉じ状態にしっかりロックできる。
【図面の簡単な説明】
【００１９】
【図１】歩行型ブレード除雪機の全体を示す左側面図である。
【図２】歩行型ブレード除雪機の全体を示す平面図である。
【図３】カバー及びバッテリー押圧部を示す縦断側面図である。
【図４】ロック状態のロック機構を示す後面図である。
【発明を実施するための形態】
【００２０】
以下、本発明の実施の形態を歩行型作業機の一例としての歩行型ブレード除雪機に適用した場合について、図面に基づいて説明する。図１は、歩行型ブレード除雪機の全体を示す左側面図である。図２は、歩行型ブレード除雪機の全体を示す平面図である。図１，２に示す［Ｆ］の方向が走行機体１の前方向、［Ｂ］の方向が走行機体１の後方向、図２に示す［Ｌ］の方向が走行機体１の左方向、［Ｒ］の方向が走行機体１の右方向と定義する。
【００２１】
図１に示すように、歩行型ブレード除雪機は、左右一対のクローラ走行装置２が装備された走行機体１を備えている。左右のクローラ走行装置２は、走行機体１の両横外側に配備されている。走行機体１から左右一対の操縦ハンドル３が後方向きに延出されている。走行機体１に、電動モータ４、制御装置４Ａ（図３参照）及びバッテリー５が設けられている。電動モータ４、制御装置４Ａ及びバッテリー５は、カバー６によって上側から覆われている。走行機体１は、電動モータ４がバッテリー５によって供給される電力によって駆動され、左右のクローラ走行装置２が電動モータ４の動力によって駆動されることによって自走する。
【００２２】
走行機体１の前方にブレード作業部７が設けられている。ブレード作業部７は、走行機体１から前向きに延出された左右一対の支持アーム８の延出端部に支持され、左右一対の支持アーム８を介して走行機体１に支持されている。左右一対の支持アーム８と左右一対の操縦ハンドル３とは、走行機体１の前後方向に延びる一連の構造体によって構成されている。一連の構造体の走行機体前後方向での中間部が枢支軸９を介して走行機体１に支持されている。左右一対の支持アーム８と左右一対の操縦ハンドル３とは、枢支軸９を揺動支点として上下揺動可能な状態で走行機体１に支持され、かつ、背反的に上下揺動する状態で連動連結されている。操縦ハンドル３を上げ操作することにより、支持アーム８が下降揺動し、ブレード作業部７の対地高さを低くなる側に調節できる。操縦ハンドル３を下げ操作することにより、支持アーム８が上昇揺動し、ブレード作業部７の対地高さを高くなる側に調節できる。また、操縦ハンドル３を下げ操作することにより、ブレード作業部７を搬送用の対地高さに持ち上げることができる。
【００２３】
図１，２に示すように、ブレード作業部７は、左右一対の支持アーム８の先端部に姿勢切換え部１０を介して支持されている。すなわち、ブレード作業部７は、姿勢切換え部１０が有する枢支軸１１を揺動支点にして支持アーム８に対して重力で下降揺動した排出姿勢と、枢支軸１１を揺動支点にして支持アーム８に対して上昇揺動したすくい姿勢とに姿勢変更可能になっている。姿勢切換え部１０には、ブレード作業部７をすくい姿勢に保持するロック状態と、ブレード作業部７の排出姿勢への揺動を許容するロック解除状態とに切換え可能なロック部１２が備えられている。ロック部１２は、左右一対の支持アーム８の先端部を連結する部材１３に支持されている。ロック部１２と、操縦ハンドル３に支持された切換えレバー１４とが操作ケーブル１５を介して連動連結されている。ロック部１２は、切換えレバー１４の握り操作によってロック解除状態に切り換え操作され、切換えレバー１４の開放操作によってロック状態に切り換え操作される。ブレード作業部７が排出姿勢になっている場合、操縦ハンドル３を持ち上げ操作し、ブレード作業部７の前端部を地面に押し付けることにより、ブレード作業部７を支持アーム８に対して上昇揺動させてすくい姿勢に姿勢切換えできる。
【００２４】
ブレード作業部７をロック部１２によってすくい姿勢に保持しておき、操縦ハンドル３を昇降操作してブレード作業部７の対地高さを除雪目標高さに調節をする。ブレード作業部７が除雪目標高さになると、クローラ走行装置２を駆動して走行機体１を前進移動させ、ブレード作業部７を地面上の雪に押し付ける。すると、雪がブレード作業部７によってすくいとられる。雪がすくいとられると、操縦ハンドル３を下げ操作することにより、ブレード作業部７が持ち上がり、すくいとられた雪をブレード作業部７に保持させて捨て場所へ搬送できる。捨て場所へ搬送すると、切換えレバー１４を握り操作する。すると、ロック部１２がロック解除状態に切り換わって、ブレード作業部７及び雪の荷重によってブレード作業部７が排出姿勢に切り換わり、ブレード作業部７から雪が落下する。
【００２５】
〔バッテリー５ついて〕
図３に示すように、バッテリー５は、走行機体１の前部に形成されたバッテリー載置部１６に脱着可能に載置されている。バッテリー５がバッテリー載置部１６に載置されていると、バッテリー５の底部に備えられているバッテリー側端子５ａと、バッテリー載置部１６の載置面に備えられている機体側端子１６ａとがつながり、バッテリー５の電力が制御装置４Ａ及び電動モータ４に供給される。バッテリー５の上部に持ち手部５ｂが上方向きに突設されている。持ち手部５ｂを持ってバッテリー５を支持することにより、バッテリー５をバッテリー載置部１６に対して脱着できる。
【００２６】
〔カバー６について〕
図１，２，３に示すように、カバー６は、左右一対の側板部６ａ、前板部６ｂ、後板部６ｃ及び天板部６ｄを有している。左右の側板部６ａ、前板部６ｂ、後板部６ｃ及び天板部６ｄは、樹脂材によって一体的に形成され、カバー６は、樹脂製カバーになっている。
【００２７】
図３に示すように、カバー６の前端側の内部に左右一対の連結アーム１７が備えられている。左右の連結アーム１７は、カバー内の支持部６ｅにビスによって固定された金属部材によって構成されている。左右一対の連結アーム１７と、走行機体１の前部に備えられた左右一対の支持部１８とが支点ピン１９を介して連結されている。カバー６は、図３に実線で示すように、左右の支点ピン１９の走行機体１の横幅方向に延びる軸芯Ｐを揺動支点にして走行機体１に対して下降移動して閉じ状態になり、閉じ状態になることによってバッテリー５及び制御装置４Ａを上側から覆うように走行機体１に支持されている。カバー６は、左右の支点ピン１９の軸芯Ｐを揺動支点にして走行機体１に対して上昇移動して開き状態になり、開き状態になることによってバッテリー５及び制御装置４Ａを開放するように走行機体１に支持されている。
【００２８】
カバー６の後側の内部にバッテリー押圧部２０が形成されている。バッテリー押圧部２０は、カバー内の支持部６ｆにビス（図示せず）によって固定された金属部材によって構成されている。バッテリー押圧部２０は、図３に実線で示す如くカバー６が閉じ状態に切り換えられると、バッテリー５の後上部に上方から当接してバッテリー５をバッテリー載置部１６に向けて押圧し、カバー６が開き状態に切り換えられると、バッテリー５の後上部から上方に離れてバッテリー５の押圧を解除するよう構成されている。本実施形態では、バッテリー押圧部２０には、バッテリー５に当接するクッション部２０ａが備えられている。バッテリー５をバッテリー載置部１６に固定するバッテリー固定部材にカバー６が活用され、専用のバッテリー固定部材を不要にされている。
【００２９】
図３に示すように、カバー６の遊端部としての後端部にロック機構２１が備えられている。図３，４に示すように、ロック機構２１は、ロック部２２、固定部２３及びロック部材２４を備えている。ロック部２２は、カバー６の後端部に設けられている。ロック部２２は、バッテリー押圧部２０を構成する金属部材と同一の金属部材によって構成されている。ロック部２２には、走行機体１の上下方向に長い切欠き部２５が形成されている。切欠き部２５は、下方に向かって開口している。固定部２３は、走行機体１の後端部分によって構成されている。ロック部材２４は、切欠き部２５を挿通可能な状態で固定部２３に支持されている。ロック部材２４は、固定部２３に回転操作可能に支持されたノブボルトによって構成されている。ロック部材２４は、回転操作されることにより、ロック部２２を固定部２３に締め込み固定するロック状態と、ロック部２２の固定部２３への締め込み固定を解除するロック解除状態とに切換え可能な状態で固定部２３に支持されている。本実施形態では、ロック部材２４としてノブボルトを採用しているが、六角ボルト、六角穴付きボルト、カム部材など、締め込み及び締め込み解除が可能な各種の部材を採用可能である。
【００３０】
ロック機構２１においては、ロック部２２が閉じ状態に向かって下降移動するカバー６と共に下降移動し、ロック部２２が固定部２３の後側に位置して切欠き部２５にロック部材２４が入り込み、この入り込み状態で、ロック部材２４が締め込み操作されてロック状態になると、ロック部２２がロック部材２４によって固定部２３に締め付け連結される。ロック部２２が固定部２３に締め付け連結されることにより、ロック機構２１がカバー６を閉じ状態に固定するようロック状態になる。ロック部材２４が緩め操作されてロック解除状態になると、ロック部材２４によるロック部２２の固定部２３への締め付け連結が解除される。ロック部２２の固定部２３への締め付けが解除されることにより、ロック機構２１がカバー６の閉じ固定を解除するようにロック解除状態になる。
【００３１】
バッテリー５をバッテリー載置部１６に載置した場合、カバー６を開き状態から下降操作する。すると、ロック部２２がカバー６と共に下降して切欠き部２５にロック部材２４が入っていく。カバー６が下降しなくなると、ロック部材２４を締め付け操作してロック機構２１をロック状態に切り換える。カバー６が下降しなくなったのは、バッテリー押圧部２０がバッテリー５に当接したことによるので、かつ、バッテリー押圧部２０がバッテリー５に当接すると、カバー６が閉じ状態になっており、かつ、バッテリー押圧部２０がバッテリー５をバッテリー載置部１６に向けて押圧しているので、ロック機構２１をロック状態に切り換えたことにより、カバー６がロック機構２１によって閉じ状態に精度よくロックされ、カバー６が閉じ状態に精度よくロックされることより、バッテリー５がバッテリー押圧部２０によってバッテリー載置部１６にしっかり固定される。
【００３２】
バッテリー５をバッテリー載置部１６から取出す場合、ロック部材２４を緩め操作してロック機構２１をロック解除状態に切り換え、カバー６を上昇移動させて開き状態に切り換える。すると、カバー６によるバッテリー５の覆いが解除されてバッテリー５が開放され、かつ、バッテリー押圧部２０によるバッテリー５の押圧が解除されている。これにより、持ち手部５ｂを支持して引き上げるだけで、バッテリー５をバッテリー載置部１６から取り出せる。
【００３３】
〔別実施形態〕
（１）上記した実施形態では、ロック部材２４の装着穴として、ロック部材２４に対するカバー６の相対移動を許容する長い切欠き部２５が採用された例を示したが、矩形や円形など、ロック部材２４に対するカバー６の相対移動が不可能な形状の装着穴を採用してもよい。
【００３４】
（２）上記した実施形態では、切欠き部２５がロック部２２に形成され、ロック部材２４が固定部２３に備えられた例を示したが、切欠き部２５が固定部２３に形成され、ロック部材２４がロック部２２に備えられる構成を採用してもよい。
【００３５】
（３）上記した実施形態では、カバー６が揺動によって開閉される例を示したが、脱着によって開閉する構成を採用してもよい。
【００３６】
（４）上記した実施形態では、カバー６の揺動支点がカバー６の前端側に位置する例を示したが、カバー６の後端側に位置する構成を採用してもよい。
【００３７】
（５）上記した実施形態では、樹脂製カバーを採用した例を示したが、金属カバーを採用してもよい。
【００３８】
（６）上記した実施形態では、バッテリー押圧部２０及びロック部２２が金属部材によって構成された例を示したが、樹脂製を採用してもよい。
【産業上の利用可能性】
【００３９】
本発明は、本発明は、歩行型ブレード除雪機の他、土砂、ワラ屑等をすくい搬送する処理物とする各種の歩行型ブレード作業機に利用できる。また、田植機や管理機など、ブレードを有しない各種の歩行型作業機に利用できる。
【符号の説明】
【００４０】
１        走行機体
５        バッテリー
６        カバー
１６      バッテリー載置部
２０      バッテリー押圧部
２１      ロック機構
２２      ロック部
２３      固定部
２４      ロック部材
２５      切欠き部
【図１】
2019051802.tif 000003
【図２】
2019051802.tif 000004
【図３】
2019051802.tif 000005
【図４】
2019051802.tif 000006